(57)【要約】  本発明は、人間または動物のユーザの歯を清掃するための装置（１）であって、この装置は、中に清掃要素（５）が配置されている支持体（４）を有しユーザの口に配置されるべきマウスピース（３）と、マウスピース（３）に着脱可能に固定される電気駆動ユニット（２）とを備え、清掃要素（５）はユーザの上顎および／または下顎の実質的に全ての歯に同時に係合するように支持体（４）に配置され、駆動ユニットは振動運動を行うための少なくとも１つの振動素子（８）を備え、清掃要素（５）はユーザの上顎および下顎の実質的に全ての歯に同時に係合するように支持体（４）に配置され、駆動ユニット（２）のマウスピース（３）への着脱可能な固定のために着脱可能な磁気接続部（Ｍ）が設けられている装置（１）に関する。
2019520919.tif 000002
【特許請求の範囲】
【請求項１】
清掃要素（５）が配置されている支持体（４）を有しユーザの口内に配置されるべきマウスピース（３）であって、前記清掃要素（５）がユーザの上顎および／または下顎の実質的に全ての歯に同時に係合するように前記支持体（４）上に配置されるマウスピース（３）と、前記マウスピース（３）に着脱可能に固定され、振動運動を行うために少なくとも１つの振動素子（８）を有する電気駆動ユニット（２）と、を備える人間または動物のユーザの歯を清掃するための装置（１）において、
前記清掃要素（５）が、ユーザの上顎および下顎の実質的に全ての歯に同時に係合するように前記支持体（４）上に配置されていることと、前記駆動ユニット（２）を前記マウスピース（３）に着脱可能に固定するための着脱可能な磁気接続部（Ｍ）が設けられていることと、を特徴とする装置（１）。
【請求項２】
前記少なくとも１つの振動素子（８）が、圧電素子、電磁音響変換器またはアンバランスモータによって形成され、好ましくは、前記上顎および下顎に対して垂直の振動運動を生成するように設計されていることを特徴とする、請求項１に記載の装置（１）。
【請求項３】
前記駆動ユニット（２）が、デンタルケア製品（１３）用の容器（９）と、デンタルケア製品（１３）を前記容器（９）から前記マウスピース（３）との接続領域に配置される出口（１１）へ搬送するためのポンプ（１０）とを有することを特徴とする、請求項１または２に記載の装置（１）。
【請求項４】
前記ポンプ（１０）が、圧電マイクロポンプ、容積型ポンプまたはフロー型ポンプにより形成されていることを特徴とする、請求項３に記載の装置（１）。
【請求項５】
前記容器（９）が、前記容器（９）に前記デンタルケア製品（１３）を充填するための充填開口部（１２）を有することを特徴とする、請求項３または４に記載の装置（１）。
【請求項６】
前記容器（９）が交換可能であるように設計されていることを特徴とする、請求項３から５のいずれか一項に記載の装置（１）。
【請求項７】
前記マウスピース（３）が、前記駆動ユニット（２）との接続領域に配置される入口（１８）を有し、前記入口は前記駆動ユニット（２）が接続される際に前記駆動ユニット（２）の前記出口（１１）と位置合わせされ、前記入口（１８）が少なくとも１つの流路（７）と接続され、前記支持体（４）上に複数のオリフィス（６）を有する少なくとも１つの流路（７）を有することを特徴とする、請求項３から６のいずれか一項に記載の装置（１）。
【請求項８】
前記着脱可能な磁気接続部（Ｍ）が、少なくとも１つの磁石（１９）と、少なくとも１つの磁気または磁化可能なカウンタパート（２０）とによって形成されていることを特徴とする、請求項１から７のいずれか一項に記載の装置（１）。
【請求項９】
前記少なくとも１つの磁石（１９）および前記少なくとも１つのカウンタパート（２０）が、前記駆動ユニット（２）の前記出口（１１）および前記マウスピース（３）の前記入口（１８）の周囲にリング状で配置されていることを特徴とする、請求項８に記載の装置（１）。
【請求項１０】
前記駆動ユニット（２）および前記マウスピース（３）が、前記駆動ユニット（２）の前記デンタルケア製品（１３）用の前記出口（１１）および前記マウスピース（３）の前記デンタルケア製品（１３）用の前記入口（１８）が確実に正確に位置合わせできるようにするためのガイド要素（２１）を有する、請求項７から９のいずれか一項に記載の装置（１）。
【請求項１１】
前記駆動ユニット（２）が、前記振動素子（８）および前記ポンプ（１０）に接続される電気エネルギー貯蔵装置（１４）、特に充電式バッテリを有することを特徴とする、請求項３から１０のいずれか一項に記載の装置（１）。
【請求項１２】
前記エネルギー貯蔵装置（１４）の誘導充電のための装置（１５）が設けられていることを特徴とする、請求項１１に記載の装置（１）。
【請求項１３】
前記清掃要素（５）がブラシ毛により形成されていることを特徴とする、請求項１から１２のいずれか一項に記載の装置（１）。
【請求項１４】
少なくとも１つの圧力センサ（２３）が前記マウスピース（３）内に配置されていることを特徴とする、請求項１から１３のいずれか一項に記載の装置（１）。
【請求項１５】
前記駆動ユニット（２）が、好ましくは無線データ伝送インタフェース（１７）を備えている制御装置（１６）を有することを特徴とする、請求項１から１４のいずれか一項に記載の装置（１）。
【発明の詳細な説明】
【技術分野】
【０００１】
本発明は、人間または動物のユーザの歯を清掃するための装置であって、清掃要素が配置されている支持体を有しユーザの口の中に配置されるべきマウスピースを備え、この清掃要素は、ユーザの上顎および／または下顎の実質的に全ての歯に同時に係合するように配置され、またこの装置は、振動運動を行うための少なくとも１つの振動素子を備える、マウスピースに着脱可能に固定される電気駆動ユニットを備える。
【背景技術】
【０００２】
歯の自動清掃のための歯の清掃装置は、従来技術から既知である。電動歯ブラシには駆動モータが装備され、これは清掃ブラシが配置されているブラシホルダを作動、特に回転作動させる。清掃ブラシは、ユーザによって１つまたは複数の歯と接触させられる。ユーザの口に挿入され、駆動ユニットを介して作動されるブラシ毛を有する例えば馬蹄形のマウスピースを備える歯の清掃装置もまた既知である。このようにして、ユーザの上顎または下顎の実質的に全ての歯を同時に清掃することができる。
【０００３】
独国特許出願公開第１０２００５０５９７７５号明細書は、口内に挿入することができ、一度に複数の歯に適用するために可動に取り付けられる複数のブラシ毛を有する支持体を有する装置を開示している。ブラシ毛は、電気駆動装置に接続されるブラシ毛キャリア上に房状に配置されることができる。そして、電気駆動装置によって生成された動作は、ブラシ毛キャリアに機械的に伝達される。さらに、ブラシ毛を有する支持体全体を振動させることができる。
【０００４】
独国実用新案第２０２０１４００２４２８号明細書には、充電式バッテリと、電気モータと、運動変換器と、異なる長さのブラシ毛を有する２つのＵ字形清掃要素と、を備える歯の清掃装置が開示されている。清掃要素またはマウスピースは、回転するように設計され、ツイスト／クリックシステムによって電気モータに接続、または電気モータから接続解除される。
【０００５】
米国特許第４，０１１，６１６号明細書は、馬蹄形ブラシを備える歯の清掃装置に関し、清掃装置は、馬蹄形ブラシは同じ形状の基部への差込接続を介して着脱可能に組み立てられる。基部は、振動をブラシに伝達するためにロッドを介して振動装置に接続される。あるいは、振動装置は、基部上に可動に配置されるブラシに直接接続されてもよい。ロッドまたはケーブルは、基部の管状部分を通り、振動装置をブラシに着脱可能に接続する。
【０００６】
国際公開第２００７／１２１７６０号は、歯および歯茎を清掃、マッサージおよび／または研磨するための装置を開示している。ここでは、２列のブラシを有するＵ字型の清掃体は、それらの間に配置された支持体によって着脱可能または交換可能であるように相互に接続される。支持体は、１つまたは複数の運動装置、特に超音波トランスデューサ、超音波モータまたは磁気モータを有し、その運動はブラシに伝達される。清掃体内の流路を介して漂白剤、洗浄剤または鎮痛剤などを導入することができる。
【０００７】
米国特許第６，２２３，３７６号明細書は、基体と、基体に挿入することができる中間要素と、中間要素に挿入することができるブラシホルダとを有する幼児用歯ブラシに関し、その各々はＵ字型であり、互いに対して着脱可能に接続できるように設計される。基体は、歯ブラシを保持するためのハンドルと、下側に、遠隔制御装置を介して制御され、歯ブラシを連続的に前後左右に動かす振動部とを有する。基体を中間要素に接続するために磁石を設けることができる。
【０００８】
既知の装置の欠点は、使用するのが厄介であり、駆動ユニットのマウスピースからの取り外しが困難であるか、まったく不可能であるか、または上述の装置による歯の清掃に時間がかかることである。電気部品を有するマウスピースは、磨耗または衛生上の理由によりマウスピースを交換することが比較的高価であるというさらなる欠点を有する。
【先行技術文献】
【特許文献】
【０００９】
【特許文献１】独国特許出願公開第１０２００５０５９７７５号明細書
【特許文献２】独国実用新案第２０２０１４００２４２８号明細書
【特許文献３】米国特許第４，０１１，６１６号明細書
【特許文献４】国際公開第２００７／１２１７６０号
【特許文献５】米国特許第６，２２３，３７６号明細書
【発明の概要】
【発明が解決しようとする課題】
【００１０】
本発明の目的は、可能な限り簡単に、特に手の動きに制限のある人によっても操作可能であり、マウスピースまたはその他の部品を安価に交換可能である冒頭で説明した種類の装置を作成することである。既知の装置の欠点は回避、または少なくとも軽減されるべきである。
【課題を解決するための手段】
【００１１】
本発明の目的は、ユーザの上顎および下顎の実質的に全ての歯と同時に係合するよう清掃要素が支持体上に配置されていることと、駆動ユニットをマウスピースに着脱可能に固定するために、着脱可能な磁気接続部が設けられていることと、によって達成される。ユーザの歯を清掃するために、清掃装置のマウスピースがユーザの口内に挿入される。マウスピースは、支持体上に配置される清掃要素を備える支持体を有し、清掃要素はユーザの上顎および下顎の実質的に全ての歯に同時に係合するように配置されている。したがって、本発明は、上顎および下顎の歯を同時に清掃するための装置を備える。清掃操作に必要な運動をマウスピース、およびそれに取り付けられた清掃要素に行わせるため、振動運動を行うための少なくとも１つの振動素子を含む電気駆動ユニットが設けられている。好ましくは、清掃装置の可能な限り多くの電気部品、または特に全ての電気部品が駆動ユニットに含まれる。駆動ユニットは、ユーザの口の外側に配置され、着脱可能な磁気接続部によりマウスピースに特に容易に固定され、簡単にマウスピースから再び取り外される。振動素子は、その振動運動が実質的に駆動ユニット全体に伝達され、そこから磁気接続部を介してマウスピースに伝達されるように、駆動ユニット内に配置されている。磁気接続部は、手の動きに制限のある人にも容易かつ迅速に確立および解除可能である。このことは、マウスピースは衛生上の理由で定期的に清掃する必要があるため、特に重要である。これとは対照的に、従来技術から既知の差込接続は、操作が不便または全く不可能であり、したがって不適切である。また、磁気接続部により、視覚が制限された人々も駆動ユニットとマウスピースとの間の接続を確実かつ迅速に確立し、解除することができる。磁気接続部は、駆動ユニットが操作中に誤ってマウスピースから取り外されてしまうことを防ぐのに十分強く、同時に力を大きくかけなくても磁気接続部の容易な意図的な解除ができる十分な強さに設計されている。
【００１２】
本発明のさらなる特徴によれば、少なくとも１つの振動素子は、圧電素子、電磁音響変換器またはアンバランスモータによって形成され、好ましくは、振動運動を発生させるために上顎および下顎に対して垂直に構成されている。圧電素子、電磁音響変換器、アンバランスモータは低コストで入手可能であるため、駆動ユニットの全体的なコストに有利であり、信頼性が高いことから注目されている。圧電素子、電磁音響変換器またはアンバランスモータは、駆動ユニット内に配置され、駆動ユニットに、または駆動ユニット内に、振動運動を駆動ユニットに伝達するように取り付けられ、駆動ユニットの振動運動は、ユーザの後歯から前歯に至る方向に対して垂直に延伸する平面で行われている。
【００１３】
ユーザがデンタルケア製品を清掃要素に塗布することをより容易にするために、駆動ユニットが、デンタルケア製品用の容器と、デンタルケア製品を容器からマウスピースとの接続領域に配置される出口へ搬送するためのポンプとを有することが有利である。このように、容器には、複数回の清掃操作のためのデンタルケア製品を蓄えておくことができる。さらに、一回の清掃操作に適した量のデンタルケア製品が、各清掃操作のためにポンプによって出口に搬送される。出口は、駆動ユニットとマウスピースとの間の接続領域に配置されている。
【００１４】
駆動ユニットの小型で信頼性の高い設計を確実にするためには、ポンプが圧電マイクロポンプの形態であることが有利である。しかし、ポンプ機能は、容積型ポンプまたはフロー型ポンプによっても実行され得る。
【００１５】
デンタルケア製品を容器に充填するための充填開口部を容器が有することが特に好ましい。これによって、容器内のデンタルケア製品の量が使い尽くされた後に、デンタルケア製品を容器に補充することができる。充填開口部は、例えばバルブ、蓋、またはプッシュスルー膜によって形成されることができ、これらは何度も開閉可能である。
【００１６】
容器が交換可能であるように設計される場合、容器内の充填開口部は省略されることができる。したがって、デンタルケア製品は、使い捨ての容器または交換が容易であるカートリッジまたはカセットに設けられることができる。駆動ユニットへの設置の際、交換可能な容器は、好ましくは、ポンプ等に通じる接続ラインに突き刺されることによって挿入されている。
【００１７】
マウスピースの構成に関しては、マウスピースが、駆動ユニットへの接続領域に配置される入口を有することが有利であり、これは駆動ユニットが接続される際に駆動ユニットの出口と位置合わせされ、支持体上に複数のオリフィスを備える少なくとも１つの流路を有する。このように、マウスピースの入口は、マウスピースが清掃装置の使用状態で駆動ユニットに接続される際に、駆動ユニットの出口と一致するように、または少なくとも部分的に重なるように配置されている。マウスピースの入口および駆動ユニットの出口は、マウスピースと駆動ユニットとの間の接続領域に配置されている。接続領域は、マウスピースと駆動ユニットとが互いに接触する領域、またはこの接触領域に囲まれた領域である。容器から駆動ユニットの出口およびマウスピースの入口を通して搬送されたデンタルケア製品をマウスピースにおいて適切に分配するために、入口は支持体上に複数のオリフィスを有する少なくとも１つの流路に接続されている。デンタルケア製品は好ましくは、駆動ユニット内のポンプによって流路を介してオリフィスに搬送され、そこから清掃要素および歯に到達する。
【００１８】
特に有利な実施形態では、着脱可能な磁気接続部は、少なくとも１つの磁石と、少なくとも１つの磁気または磁化可能なカウンタパートによって形成されることができる。したがって、磁石は、駆動ユニットおよびマウスピースの両方に取り付けられることができ、磁石は、磁気接続部を生成するため、それらの反対の極が互いに対向するように配置されている。同様に、少なくとも１つの磁石を、駆動ユニットまたはマウスピースに取り付けることができ、これは、それぞれの対向するマウスピースまたは駆動ユニット内の少なくとも１つの磁化可能なカウンタパートに磁気的に接続されることができる。
【００１９】
少なくとも１つの磁石および少なくとも１つのカウンタパートが、駆動ユニットの出口およびマウスピースの入口の周りにリング状で配置される場合、駆動ユニットがマウスピースに接続される際には、出口と入口とが互いに位置合わせされる。このようにして、駆動ユニットとマウスピースとの間の簡単な接続を形成することができるだけでなく、同時にデンタルケア製品をマウスピースに搬送するための接続も確立される。
【００２０】
デンタルケア製品のマウスピースへの搬送をさらに確実にするために、駆動ユニット上のデンタルケア製品用の出口およびマウスピース上のデンタルケア製品用の入口が互いに正確に位置合わせされるよう、駆動ユニットおよびマウスピースがガイド要素を有することができる。ガイド要素は、簡単な操作で相互に係合させることができるように、単純な幾何学的形状を有することができる。例えば、それぞれ１つのリングが駆動ユニットおよびマウスピース上に設けられ、それらのリングは異なる直径を有し、これによって一方のリングが他方のリングの内部に挿入またはスナップされ得る。ガイド要素は、対応する設計によって、磁気接続部自体の磁気または磁化可能な要素から形成されてもよい。当然、適切なガイド要素として、リング以外の多くの形状も考えられる。この構成の本質的な特徴は、ガイド要素がユーザによって意図された協働位置にもたらされた際に、出口と入口が位置合わせされることである。
【００２１】
駆動ユニットにエネルギーを供給するためには、駆動ユニットが振動素子およびポンプに接続された電気エネルギー貯蔵装置、特に充電式バッテリを有することが有利である。エネルギー貯蔵装置を充電するために、外部充電器が設けられてもよく、または駆動ユニットは、この目的のためにエネルギー貯蔵装置を充電するための太陽電池および電気部品を含んでもよい。充電装置は、好ましくはエネルギー貯蔵装置、特に充電式バッテリのエネルギー自給充電用に設計されている。
【００２２】
ユーザができるだけ簡単に充電動作を行うために、好ましくは、エネルギー貯蔵装置の誘導充電のための装置が設けられてもよい。例えば、誘導結合のための無線エネルギー伝送用の装置では、各充電動作のため駆動ユニットと電源との間の電気的接続、特にプラグ接続を行う必要がない。
【００２３】
清掃要素がブラシ毛の形態である場合に、歯の清掃は特に効率的に行うことができる。したがって、歯の清掃装置の使用準備ができた状態でユーザの口内に挿入されると、ブラシ毛は好ましくはユーザの上顎および下顎の全ての歯と接触する。
【００２４】
歯がマウスピースに過剰な圧力をかけることによって歯茎または歯を傷つけないようにするため、また同時に歯の最適な清掃を達成するため、少なくとも１つの圧力センサがマウスピース内に配置されていることが有利である。圧力センサは、歯によってマウスピースに加えられる圧力を検出し、圧力が一定の限界値を超えた場合、駆動ユニットの停止が開始されてもよい。検出された値を評価するために、圧力センサをマウスピース内または駆動ユニット内のデータメモリに接続することができる。データメモリが駆動ユニット内に配置される場合、電気接点は磁気接続部の領域に設けられてもよく、これにより圧力センサをデータメモリに電気的に接続する。
【００２５】
駆動ユニットが、好ましくは無線データ伝送インタフェースを有する制御装置を有する場合、駆動ユニットの操作パラメータは容易に変更および／または読出しが可能である。例えば、駆動ユニットは、様々な振動運動を実行するように実施され、対応して制御されてもよい。その一例は、一定のまたは可変の周波数および／または振幅を有する振動である。ＰＣ、ラップトップまたは携帯電話のようなデータ処理ユニットが、有利には、駆動ユニットへの、および駆動ユニットからのデータ伝送のために設けられる。データは、無線信号または光信号により、好ましくは既知の伝送プロトコルを使用して送信することができる。
【００２６】
本発明は、添付図面を参照してより詳細に説明される。
【図面の簡単な説明】
【００２７】
【図１】駆動ユニットとマウスピースとが組み立てられた状態にある、本発明による歯の清掃装置の斜視図である。
【図１Ａ】実質的に鉛直な平面における図１のマウスピースの断面図である。
【図１Ｂ】実質的に水平な平面における図１のマウスピースの断面図である。
【図２】図１の装置の斜視図であり、駆動ユニットとマウスピースは互いに分離されている。
【図３】駆動ユニットのブロック図である。
【図４Ａ】組み立てられた状態における駆動ユニットとマウスピースの相互に対向する面の正面図である。
【図４Ｂ】組み立てられた状態における駆動ユニットとマウスピースの相互に対向する面の正面図である。
【図４Ｃ】組み立てられた状態における駆動ユニットとマウスピースの相互に対向する面の正面図である。
【図５】組み立てられた状態の駆動ユニットおよびマウスピースの側面図である。
【図６】リング状のガイド要素を有する駆動ユニットへの接続領域におけるマウスピースの一部分の側面図を示す。
【発明を実施するための形態】
【００２８】
図１は、人間または動物のユーザの歯（図示せず）を清掃するための装置１を示す。装置１は、電気駆動ユニット２と、そこに接続可能なマウスピース３とを有する。図１に示す装置１のすぐ使用できる状態では、電気駆動ユニット２は、マウスピース３に接続または結合されている。マウスピース３は、ユーザの口内に配置されるように設計され、この目的のために、支持体４と、その上に配置される清掃要素５、特にブラシ毛とを含む。駆動ユニット２は、ユーザの口の外側に配置されている。マウスピース３の支持体４は、上顎の歯を収容するために上向きに開いた湾曲したトレイと、下顎の歯を収容するために下向きに開いた湾曲したトレイとを含む。歯の効率的な清掃のために、清掃要素５は、好ましくは、マウスピース３の前面から背面へ、支持体４の開いたトレイに沿って延伸する。図示されるマウスピース３は、ユーザの上顎および下顎の実質的に全ての歯と同時に係合するように設計されている。電気駆動ユニット２は、振動運動を行うように設計され、マウスピース３に着脱可能に固定されることができる。この目的のために、着脱可能な磁気接続部Ｍが設けられている。駆動ユニット２とマウスピース３とが接続されると、生成された振動は、マウスピース３に、そして続いて清掃要素５に伝達される。
【００２９】
図１Ａおよび図１Ｂによるマウスピース３の断面図に示されるように、流路７がマウスピース３およびその支持体４内に延伸し、デンタルケア製品１３（図３参照）を搬送し、この流路は対応するオリフィス６で終端し、そこからデンタルケア製品１３が清掃要素５および歯に到達することができる。流路７は、駆動ユニット２（図３参照）上の対応する出口１１と協働する入口１８を有する。図１および１Ａでは、清掃要素５は概略的にのみ示される。当然、清掃要素５は、特に歯の咀嚼面を清掃するために、支持体４の水平側にも配置することができる。
【００３０】
マウスピース３上の圧力を検出するために、マウスピース３に圧力センサ２３を設けることもできる。
【００３１】
図２は、駆動ユニット２とマウスピース３が互いに分離されている状態の装置１を示す。この状態では、磁気接続部Ｍは解除されている。これにより、マウスピース３の清掃または交換が容易になる。磁気接続部Ｍは、駆動ユニット２上の少なくとも１つの磁石１９と、マウスピース３上の少なくとも１つの磁気または磁化可能なカウンタパート２０とによって形成されている。当然、磁石１９はマウスピース３上に配置されてもよく、磁気または磁化可能なカウンタパート２０は駆動ユニット２上に配置されてもよい。磁石１９および少なくとも１つのカウンタパート２０は、好ましくは、駆動ユニット２の出口１１の周囲およびマウスピース３の入口１８の周囲にリング状で配置されている。
【００３２】
図３は、駆動ユニット２のブロック図を示す。図示された実施例では、駆動ユニット２は、歯を清掃するために必要な振動運動を生成する振動素子８、例えば圧電素子、電磁音響変換器またはアンバランスモータを有する。駆動ユニット２はまた、デンタルケア製品１３が保持される容器９と、デンタルケア製品１３を容器９から駆動ユニット２の出口１１に搬送するためのポンプ１０とを含む。駆動ユニット２の出口１１は、駆動ユニット２とマウスピース３との間の接続領域に配置されている。ポンプ１０は、圧電マイクロポンプ、容積型ポンプまたはフロー型ポンプの形態であることができる。デンタルケア製品１３を補充するために、容器９は、例えば蓋、バルブまたはプッシュスルー膜などの入口開口部１２を有する。容器９は、カートリッジまたはカセット（図５参照）の形で交換可能に設計されてもよく、これにより非常に簡単に交換することができる。振動素子８およびポンプ１０へのエネルギー供給のために、駆動ユニット２には電気エネルギー貯蔵装置１４、特に充電式バッテリが接続される。これは、好ましくはエネルギー貯蔵装置１４の誘導充電のために装置１５に接続されてもよい。好ましくは無線データ伝送インタフェース１７を有する制御装置１６も駆動ユニット２内に収容され、エネルギー貯蔵装置１４に接続されることができる。
【００３３】
マウスピース３は、駆動ユニット２との接続領域に入口１８を有し、この入口は、駆動ユニット２が接続される際に、駆動ユニット２の出口１１と位置合わせされる（図２参照）。入口１８は、支持体４上のオリフィス６で終端する流路７に接続される。これによって、デンタルケア製品１３は、容器９から出口１１および入口１８を通って流路７を介して搬送され、最後にオリフィス６を介して清掃要素５またはブラシ毛および歯に到達することができる。
【００３４】
図４Ａは、デンタルケア製品１３用の出口１１の周囲に配置されている、磁気接続部Ｍの一部、特にリング状磁石１９を有する駆動ユニット２の図を示す。
【００３５】
図４Ｂは、マウスピース３の図であり、ここでは、磁気接続部Ｍの対応する部分、特にリング状の磁化可能なカウンタパート２０が示され、これはマウスピース３の流路７用の入口１８の周囲にリング状に配置されている。磁化可能なカウンタパート２０の周囲にリング状のガイド要素２１が設けられ、出口１１と入口１８とが正確に位置合わせされるようにしてもよい。ガイド要素２１は、例えば図６に示すように、カラー２２等を設けることによって実施されることができ、これはカウンタパートを駆動ユニット２に適切に固定させるように機能する。装置１が接続状態にあるとき、リング状磁石１９またはリング状の磁化可能なカウンタパート２０は、磁気吸引力によって引き寄せられ互いに接する。
【００３６】
図４Ｃは、マウスピース３上のガイド要素２１として機能する磁化可能なカウンタパート２０を示す。
【００３７】
図５は、磁石１９と磁化可能なカウンタパート２０とを備える装置１の組み立てられた状態の駆動ユニット２とマウスピース３の側面図であり、大きな接続領域を形成するために平坦な構造であることが有利である。駆動ユニット２上のデンタルケア製品１３用の容器９は、カートリッジまたはカセットの形で交換可能である。これにより、容器９を迅速かつ容易に交換することができる。
【図１】
2019520919.tif 000003
【図１Ａ】
2019520919.tif 000004
【図１Ｂ】
2019520919.tif 000005
【図２】
2019520919.tif 000006
【図３】
2019520919.tif 000007
【図４Ａ】
2019520919.tif 000008
【図４Ｂ】
2019520919.tif 000009
【図４Ｃ】
2019520919.tif 000010
【図５】
2019520919.tif 000011
【図６】
2019520919.tif 000012
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
清掃要素（５）が配置されている支持体（４）を有しユーザの口内に配置されるべきマウスピース（３）であって、前記清掃要素（５）がユーザの上顎および／または下顎の全ての歯に同時に係合するように前記支持体（４）上に配置されるマウスピース（３）と、前記マウスピース（３）に着脱可能に固定され、振動運動を行うために少なくとも１つの振動素子（８）を有する電気駆動ユニット（２）と、を備える人間または動物のユーザの歯を清掃するための装置（１）において、
前記清掃要素（５）が、ユーザの上顎および下顎の全ての歯に同時に係合するように前記支持体（４）上に配置されていることと、前記駆動ユニット（２）を前記マウスピース（３）に着脱可能に固定するための着脱可能な磁気接続部（Ｍ）が設けられ、前記駆動ユニット（２）が、ユーザの口の外側に配置されるよう構成され、前記振動素子（８）が、その振動運動が前記駆動ユニット（２）全体へ、および前記ユニットから前記磁気接続部（Ｍ）を介して前記マウスピース（３）へ伝達可能であるように、前記駆動ユニット（２）内に配置されていることと、を特徴とする装置（１）。
【請求項２】
前記少なくとも１つの振動素子（８）が、圧電素子、電磁音響変換器またはアンバランスモータによって形成され、好ましくは、前記上顎および下顎に対して垂直の振動運動を生成するように設計されていることを特徴とする、請求項１に記載の装置（１）。
【請求項３】
前記駆動ユニット（２）が、デンタルケア製品（１３）用の容器（９）と、デンタルケア製品（１３）を前記容器（９）から前記マウスピース（３）との接続領域に配置される出口（１１）へ搬送するためのポンプ（１０）とを有することを特徴とする、請求項１または２に記載の装置（１）。
【請求項４】
前記ポンプ（１０）が、圧電マイクロポンプ、容積型ポンプまたはフロー型ポンプにより形成されていることを特徴とする、請求項３に記載の装置（１）。
【請求項５】
前記容器（９）が、前記容器（９）に前記デンタルケア製品（１３）を充填するための充填開口部（１２）を有することを特徴とする、請求項３または４に記載の装置（１）。
【請求項６】
前記容器（９）が交換可能であるように設計されていることを特徴とする、請求項３から５のいずれか一項に記載の装置（１）。
【請求項７】
前記マウスピース（３）が、前記駆動ユニット（２）との接続領域に配置される入口（１８）を有し、前記入口は前記駆動ユニット（２）が接続される際に前記駆動ユニット（２）の前記出口（１１）と位置合わせされ、前記入口（１８）が少なくとも１つの流路（７）と接続され、前記支持体（４）上に複数のオリフィス（６）を有する少なくとも１つの流路（７）を有することを特徴とする、請求項３から６のいずれか一項に記載の装置（１）。
【請求項８】
前記着脱可能な磁気接続部（Ｍ）が、少なくとも１つの磁石（１９）と、少なくとも１つの磁気または磁化可能なカウンタパート（２０）とによって形成されていることを特徴とする、請求項１から７のいずれか一項に記載の装置（１）。
【請求項９】
前記少なくとも１つの磁石（１９）および前記少なくとも１つのカウンタパート（２０）が、前記駆動ユニット（２）の前記出口（１１）および前記マウスピース（３）の前記入口（１８）の周囲にリング状で配置されていることを特徴とする、請求項８に記載の装置（１）。
【請求項１０】
前記駆動ユニット（２）および前記マウスピース（３）が、前記駆動ユニット（２）の前記デンタルケア製品（１３）用の前記出口（１１）および前記マウスピース（３）の前記デンタルケア製品（１３）用の前記入口（１８）が確実に正確に位置合わせできるようにするためのガイド要素（２１）を有する、請求項７から９のいずれか一項に記載の装置（１）。
【請求項１１】
前記駆動ユニット（２）が、前記振動素子（８）および前記ポンプ（１０）に接続される電気エネルギー貯蔵装置（１４）、特に充電式バッテリを有することを特徴とする、請求項３から１０のいずれか一項に記載の装置（１）。
【請求項１２】
前記エネルギー貯蔵装置（１４）の誘導充電のための装置（１５）が設けられていることを特徴とする、請求項１１に記載の装置（１）。
【請求項１３】
前記清掃要素（５）がブラシ毛により形成されていることを特徴とする、請求項１から１２のいずれか一項に記載の装置（１）。
【請求項１４】
少なくとも１つの圧力センサ（２３）が前記マウスピース（３）内に配置されていることを特徴とする、請求項１から１３のいずれか一項に記載の装置（１）。
【請求項１５】
前記駆動ユニット（２）が、好ましくは無線データ伝送インタフェース（１７）を備えている制御装置（１６）を有することを特徴とする、請求項１から１４のいずれか一項に記載の装置（１）。
【国際調査報告】
2019520919.tif 000013
2019520919.tif 000014
2019520919.tif 000015
2019520919.tif 000016
2019520919.tif 000017